(57)【特許請求の範囲】
【請求項１】
一端側に挟持部を他端側に把持部を備える一対のクリップ部材を備え、この一対のクリップ部材を支点軸を介して回動可能に連結して成る作業用クリップにおいて、
前記クリップ部材は、前記挟持部が一体に形成されたはさみ本体と、このはさみ本体の基端部に連結されて前記把持部が一体に形成された把持部構成部材とから構成され、
一対の前記はさみ本体は、交差させた部位を前記支点軸により回転可能に連結され、
前記把持部構成部材は、前記はさみ本体の基端から挿入されて該はさみ本体の軸方向に沿って相対的に移動可能とすることで前記はさみ本体の基端部に出没可能に連結され、前記支点軸を挿通させる長孔が軸方向に延設されていることを特徴とする作業用クリップ。
【請求項２】
前記把持部構成部材の前記はさみ本体に対する相対位置を固定するストッパー機構が設けられていることを特徴とする請求項１記載の作業用クリップ。
【請求項３】
前記把持部構成部材には、前記はさみ本体から該把持部構成部材を引き出すための引掛け部材が設けられていることを特徴とする請求項１又は２に記載の作業用クリップ。
【発明の詳細な説明】
【技術分野】
【０００１】
本発明は間接活線工法で使用される絶縁シート等を挟持するために用いられる作業用クリップに関する。
【背景技術】
【０００２】
従来、この種の作業用クリップとしては、例えば、特許文献１に示されるように、一端側に絶縁シート等を挟み込む挟持部を備え、他端側に間接活線用把持工具で把持可能な把持部を備えた一対のクリップ部材（挟持部材）を有し、これらクリップ部材を略中央で支点軸によって回転可能に支持するようにしており、挟持部の互いに対向する内面に、緩やかに湾曲して窪んだ凹部や側面視長方形状に切り欠かれた凹部を形成し、支点軸に嵌装されたコイルばねによって挟持部を互いに接近して閉じる方向に付勢した構成となっている。
【０００３】
このような作業用クリップは、実際の活線作業において、例えば、特許文献２の図１０や図１１に示されるように、フレキシブル間接シートを２つ折りにして包囲したい箇所にかぶせた後に、開放されている部分を一対の挟持部で挟み込むように取り付けられる。
【先行技術文献】
【特許文献】
【０００４】
【特許文献１】特開２０１１−０６２００４号公報
【特許文献２】特開２００８−２０６２５５号公報
【発明の概要】
【発明が解決しようとする課題】
【０００５】
しかしながら、上述した従来の作業用クリップは、間接把持工具で把持できる把持部が挟持部とは反対側に突出しているので、間接活線作業時において絶縁ヤットコなどの間接活線用工具と接触しやすく、間接活線作業の妨げとなる。特に、狭い作業空間においては、把持部の突出により作業ができなくなり、作業用クリップで挟み込む位置を変えるなどの作業が必要となるものであった。
【０００６】
本発明は、係る事情に鑑みてなされたものであり、作業用クリップにおいて、被装着箇所に取り付けた後に把持部が間接活線用工具等と干渉しにくくなるようにし、間接活線作業の作業空間を大きく確保することが可能な作業用クリップを提供することを主たる課題としている。
【課題を解決するための手段】
【０００７】
上記課題を達成するために、本願発明に係る作業用クリップは、一端側に挟持部を他端側に把持部を備える一対のクリップ部材を備え、この一対のクリップ部材を支点軸を介して回動可能に連結して成る構成において、前記クリップ部材は、前記挟持部が一体に形成されたはさみ本体と、このはさみ本体の基端部に連結されて前記把持部が一体に形成された把持部構成部材とから構成され、一対の前記はさみ本体は、交差させた部位を前記支点軸により回転可能に連結され、前記把持部構成部材は、前記はさみ本体の基端から挿入されて該はさみ本体の軸方向に沿って相対的に移動可能とすることで前記はさみ本体の基端部に出没可能に連結され、前記支点軸を挿通させる長孔が軸方向に延設されていることを特徴としている。
【０００８】
したがって、このような作業用クリップを用いて、例えば絶縁シート等の被挟持物を挟み込む場合には、先ず、把持部構成部材をはさみ本体から引き出した状態とし、その状態で、一対の把持部構成部材の把持部をヤットコなどの間接活線用把持工具で挟み込んで、一対のはさみ本体の挟持部を開き、その挟持部間に絶縁シートなどの被挟持物を被挿し、しかる後に、一対の把持部への力を解除して、挟持部で被挟持物を挟み込む。
【０００９】
その後、作業用クリップの把持部構成部材を間接活線用工具の先端等で押したり叩いたりすることで、はさみ本体へ収納する。これにより、把持部（把持部構成部材）ははさみ本体に収容されてはさみ本体から突出しなくなるので、間接活線作業時に間接活線用工具との干渉を回避することが可能となる。
【００１０】
また、作業用クリップを取り外す場合には、把持部（把持部構成部材）がはさみ本体に収納されていれば、把持部構成部材をはさみ本体から引き出し、はさみ本体から突出させた状態とする。その後、ヤットコなどの間接活線用把持工具により一対の把持部構成部材を挟み込み、一対のはさみ本体の挟持部を開いて被挟持物から作業用クリップを取り外す。
【００１１】
尚、把持部構成部材の操作中に把持部構成部材がはさみ本体内に入り込まないようにするために、また、はさみ本体に収容されていた把持部構成部材が不用意に突出しないようにするために、前記把持部構成部材の前記はさみ本体に対する相対位置を固定するストッパー機構を設けるようにしてもよい。
【００１２】
また、一対のはさみ本体の交差させた部位が支点軸により回動可能に連結され、また、前記把持部構成部材が、前記はさみ本体の基端から挿入されて該はさみ本体の軸方向に沿って相対的に移動可能に連結され、把持部構成部材に支点軸を挿通させる長孔を軸方向に延設するようにしたので、以下の効果を奏する。
【００１３】
すなわち、支点軸が挿通する長孔が把持部構成部材に形成される場合には、把持部構成部材が支点軸と干渉することなくはさみ本体の基端部で出没させることが可能となり、また、把持部構成部材の可動範囲を規制することができるので、把持部構成部材がはさみ本体から外れることがなくなる。
【００１４】
尚、前記把持部構成部材には、前記はさみ本体から該把持部構成部材の引き出しを容易にするために、把持部構成部材を引き出すための引掛け部材を設けるようにするとよい。
【発明の効果】
【００１５】
以上述べたように、本発明によれば、作業用クリップにおいて、一対のクリップ部材のそれぞれを、挟持部が一体に形成されたはさみ本体と、このはさみ本体の基端部に出没可能に連結され、把持部が一体に形成された把持部構成部材とから構成したので、把持部（把持部構成部材）をはさみ本体に収容させることで、クリップ部材の軸方向の長さを縮ませることが可能となり、間接活線作業中に間接活線用工具が作業用クリップの把持部に干渉する不都合がなくなり、間接活線作業の作業空間を大きく確保することが可能となる。
【図面の簡単な説明】
【００１６】
【図１】本発明に係る作業用クリップの構成例を示す平面図である。
【図２】同上の作業用クリップの把持部（把持部構成部材）付近を示す断面図である。
【図３】図１の作業用クリップの把持部（把持部構成部材）付近を示す斜視図である。
【図４】本発明に掛る作業用クリップの他の構成例を示す平面図である。
【発明を実施するための形態】
【００１７】
以下、本発明の作業用クリップの構成例を図面を参照しつつ説明する。
【実施例１】
【００１８】
図１において、作業用クリップの第１の構成例が示されている。この作業用クリップ１は、一端側に挟持部２を、他端側に把持部３を備えた樹脂製の一対のクリップ部材４，４を有して構成されているもので、一対のクリップ部材４．４は、それぞれの挟持部２と把持部３との間が交差して、この交差部分が支点軸６により回転自在に連結されている。なお、図示しないが、支点軸６の周囲にはバネが設けられ、このばねによって挟持部２，２が互いに閉じる方向に付勢されている。
【００１９】
それぞれのクリップ部材４は、挟持部２が一体に形成されたはさみ本体４ａと、この挟み本体４ａの基端部に連結されて把持部３が一体に形成された把持部構成部材４ｂとによって構成され、前記支点軸６は、一対の前記はさみ本体４ａ，４ａの基端部近傍を交差させ、その交差部分に設けられている。
【００２０】
はさみ本体４ａの対向する側面には、湾曲して窪んだ大小２つの凹部５ａ，５ｂが形成され、大きい凹部５ｂは、径の大きい電線や厚みがある被挟持物を挟み込む部位となっており、小さい凹部５ａは、径の小さい電線や厚みが薄い被挟持物を挟み込む部位となっている。
【００２１】
はさみ本体４ａは、把持部構成部材４ｂを出没可能とするために、図２及び図３に示されるように、基端を開口した断面矩形状に形成され、この基端から軸方向（長手方向）に収納穴７が形成され、この収納穴７に把持部構成部材４ｂを挿入できるように構成されている。
【００２２】
把持部構成部材４ｂは、前記収納穴７の断面形状と略同じ断面形状を有してほぼ直線状に形成されているもので、収納穴７に摺動可能に挿入されている。それぞれの把持部構成部材４ｂには、長手方向に延設された長孔９が形成され、この長孔９に前記支点軸６が摺動可能に挿通されている。
なお、１１は、把持部構成部材４ｂの基端部に設けられ、把持部構成部材４ｂを引き出すときに間接活線工具等を引っ掛けてはさみ本体４ａから把持部構成部材４ｂを引き出すための引掛け部材を構成するひもである。
【００２３】
また、この例では、把持部構成部材４ｂがはさみ本体４ａから引き出された状態や、はさみ本体４ａに収容された状態において、把持部構成部材４ｂのはさみ本体４ａに対する相対位置を固定するストッパー機構１３，１３が設けられている。
【００２４】
このストッパー機構１３，１３は、前記はさみ本体４ａと把持部構成部材４ｂの両側面に形成されているもので、把持部構成部材４ｂの長手方向に離れた２箇所（この例では、把持部構成部材４ｂの基端近傍と軸方向の中間部位）に嵌合凹部１４ａ，１４ｂを形成し、これら嵌合凹部１４ａ，１４ｂに選択的に嵌合可能なピン１５をはさみ本体４ａの側面に外側から挿通させ、このピン１５をはさみ本体４ａに設けられた板バネ１６によって把持部構成部材４ｂに押し付けることによって構成されている。なお、嵌合凹部１４ａ，１４ｂは、湾曲状又はテーパ状の窪みとして形成されている。
【００２５】
これにより、嵌合凹部１４ａ，１４ｂの位置がピン１５の位置と一致すると、板バネ１６によるバネ力によりピン１５の先端部が嵌合凹部に嵌合し、把持部構成部材４ｂのはさみ本体４ａに対する相対位置を固定さることになり、また、この状態から把持部構成部材４ｂを軸方向に動かすことで、ピン１５が板バネ１６のバネ力の抗して押し上げられ、嵌合凹部１４ａ，１４ｂから外れるようになっている。
【００２６】
したがって、ピン１５が嵌合凹部１４ｂに係止されてクリップ部材４が伸びている状態（把持部構成部材４ｂがはさみ本体４ａから突出している状態）からクリップ部材４を縮めるには（把持部構成部材４ｂをはさみ本体４ａに収容するには）、把持部構成部材４ｂの頭部を図示しない作業工具で押したり、叩いたりすることで、ストッパー機構１３の係止状態を解除し、図２の二点鎖線で示すように、把持部構成部材４ｂを移動させ、嵌合凹部１４ａにピン１５を嵌合させる。
なお、前記長孔９の長さは、把持部構成部材４ｂの軸方向の移動により、ピン１５が一方の嵌合凹部から他方の嵌合凹部にかけて移動できる長さに設定されている。
【００２７】
したがって、以上の構成の作業用クリップ１においては、把持部構成部材４ｂをはさみ本体４ａから突出させたりはさみ本体４ａに収容させたりすることで、クリップ部材４を、必要により、伸長させたり、縮めたりすることができるので、例えば、絶縁シートを仮固定した状態において、把持部構成部材４ｂをはさみ本体に収容させておくことで、絶縁シートに取り付けられた作業用クリップの絶縁シートからの突出量を小さくすることができ、間接活線作業時に作業工具が作業用クリップ１の把持部３（把持部構成部材４ｂ）と干渉することがなくなり、作業空間を大きく確保でき、作業しやすいものとなる。
【００２８】
また、間接活線作業の終了時には、絶縁ヤットコやクイックなどの作業工具をひも１１に引っ掛けて把持部構成部材４ｂを引っ張ることで、把持部構成部材４ｂをはさみ本体４ａの収納穴７から引き出すことが可能となる。そして、引き出された一対の把持部構成部材４ｂを絶縁ヤットコなどの間接活線把持工具を用いて互いに近接するように挟み込めば、一対のはさみ本体４ａの挟持部２が開き、作業用クリップ１を取り外すことが可能となる。
【実施例２】
【００２９】
図４において、本発明に係る作業用クリップ１の他の構成例が示されている。この作業用クリップ１は、一端側に絶縁シート等を挟み込む挟持部２を備え、他端側に間接活線用把持工具で把持可能な把持部３を備えた一対のクリップ部材４を有し、これらクリップ部材４を交差させずに略中央で支点軸６によって回転可能に支持するようにしたものである。挟持部の互いに対向する内面には、緩やかに湾曲して窪んだ凹部５ａと側面視長方形状に切り欠かれた凹部５ｂが形成され、支点軸６には、図示しないコイルばねが嵌装され、このコイルばねによって挟持部２が互いに接近して閉じる方向に付勢された構成となっている。
【００３０】
なお、この構成においては、一対のクリップ部材４，４が交差していないので、把持部構成部材４ｂの軸方向の移動時において支点軸６との干渉が生じないため、前記構成例とは異なり、長孔は不要となっている。その他の構成は、前記構成例と同様であるので、同一箇所に同一符号を付して説明を省略する。
【００３１】
このような構成例においても、クリップ部材４を伸縮させることで（把持部構成部材４ｂをはさみ本体４ａに出没させることで）、前記構成例と同様の作用効果を奏することが可能となる。
【符号の説明】
【００３２】
１    作業用クリップ
２    挟持部
３    把持部
４    クリップ部材
４ａ  はさみ本体
４ｂ  把持部構成部材
６    支点軸
７    収納穴
９    長孔
１１  ひも
１３  ストッパー機構
【要約】
【課題】被装着箇所に取り付けた後に把持部が間接活線用工具等と干渉しにくくなるようにし、間接活線作業の作業空間を大きく確保することが可能な作業用クリップを提供する。
【解決手段】作業用クリップ１は、一端側に挟持部２を他端側に把持部３を備える一対のクリップ部材４を備え、この一対のクリップ部材４を支点軸６を介して回動可能に連結して構成される。それぞれのクリップ部材４は、挟持部２が一体に形成されたはさみ本体４ａと、このはさみ本体４ａの基端部に連結されて把持部３が一体に形成された把持部構成部材４ｂとから構成され、一対のはさみ本体４ａは、支点軸６を介して回動可能に連結され、把持部構成部材４ｂは、はさみ本体４ａの基端部に出没可能に連結される。
【選択図】      図１【図１】
0005567164.tif 000002
【図２】
0005567164.tif 000003
【図３】
0005567164.tif 000004
【図４】
0005567164.tif 000005